(57)【要約】      （修正有）【課題】多彩な遊び方を実現させる新奇なキューブを提供する。【解決手段】縦×横×奥行きが３×３×３のブロックからなり、各面は１個のセンターピース、４個のコーナーピース及び４個のエッジピースによって構成される。エッジピースは、第１の歯部を有するギア部品４と、ギア部品４を自転可能に支持する支持部品３とを有し、コーナーピースには、ギア部品４の第１の歯部に噛合可能な第２の歯部が形成される。第１の歯部と第２の歯部とが噛合した後、当該第１の歯部が形成されたギア部品４を有するエッジピースと、当該第２の歯部を有するコーナーピースとが同一の前記軸線を中心に相対回転することによって、当該ギア部品４が自転するように構成されている。【選択図】図７
0003168583.tif 000002
【実用新案登録請求の範囲】
【請求項１】
立方体となる基本的形状を取り得るように構成され、当該立方体の中心を通り互いに直交する３つの軸線を有し、前記立方体の状態で見た場合、前記軸線の上に位置し各面の中央に配置されたセンターピースと、隣接する３面によって画成されるコーナーに配置され当該３面に跨がって広がるコーナーピースと、隣接する２面によって画成されるエッジに配置され当該２面に跨がって広がるエッジピースとを備え、１個の前記センターピース、４個のコーナーピース及び４個のエッジピースによって当該各面が構成され、
前記軸線の軸線方向の両端の各々の位置に、前記センターピース、前記エッジピース及び前記コーナーピースが並んだ際に、当該センターピース、当該エッジピース及び当該コーナーピースが当該軸線を中心に回転可能となるとともに、当該軸線方向の当該両端に挟まれる中間に存在する前記センターピース及び前記エッジピースが当該軸線を中心に回転可能となるように構成されたキューブにおいて、
少なくとも１個の前記エッジピースは、第１の歯部を有するギア部品と、前記ギア部品を自転可能に支持する支持部品とを有し、
少なくとも１個の前記コーナーピースには、前記ギア部品の第１の歯部に噛合可能な第２の歯部が形成され、
前記第１の歯部と前記第２の歯部とが噛合した後、当該第１の歯部が形成された前記ギア部品を有する前記エッジピースと、当該第２の歯部を有する前記コーナーピースとが同一の前記軸線を中心に相対回転することによって、当該ギア部品が自転するように構成されていることを特徴とするキューブ。
【請求項２】
複数個の前記エッジピースは、前記ギア部品と前記支持部品とを有し
前記支持部品には、当該支持部品が支持していない他の前記ギア部品の前記第１の歯部に噛合可能な第３の歯部が形成され、
前記第１の歯部と前記第３の歯部とが噛合した後、当該第１の歯部が形成された前記ギア部品を有する前記エッジピースと、当該第３の歯部が形成された前記支持部品を有する前記エッジピースとが同一の前記軸線を中心に相対回転することによって、当該ギア部品が自転するように構成されていることを特徴とする請求項１に記載のキューブ。
【請求項３】
前記ギア部品と前記支持部品とを有しない前記エッジピースを少なくとも１個備え、当該エッジピースには、前記ギア部品の前記第１の歯部に噛合可能な第４の歯部が形成され、
前記第１の歯部と前記第４の歯部とが噛合した後、当該第１の歯部が形成された前記ギア部品を有する前記エッジピースと、当該第４の歯部が形成された前記エッジピースとが同一の前記軸線を中心に相対回転することによって、当該ギア部品が自転するように構成されていることを特徴とする請求項１に記載のキューブ。
【請求項４】
全てのエッジピースは、前記ギア部品と前記支持部品とを有し、
全てのコーナーピースには、前記第２の歯部が形成されていることを特徴とする請求項１に記載のキューブ。
【請求項５】
前記支持部品には、当該支持部品が支持していない他の前記ギア部品の前記第１の歯部に噛合可能な第５の歯部が形成され、
前記第１の歯部と前記第５の歯部とが噛合した後、当該第１の歯部が形成された前記ギア部品を有する前記エッジピースと、当該第５の歯部が形成された前記支持部品を有する前記エッジピースとが同一の前記軸線を中心に相対回転することによって、当該ギア部品が自転するように構成されていることを特徴とする請求項４に記載のキューブ。
【考案の詳細な説明】
【技術分野】
【０００１】
本考案は、キューブに関するものであり、強いて言うならば、ギアを通じて接合する回転キューブである。
【背景技術】
【０００２】
周知のキューブは主に３段階キューブを指す。これは通常、多くの並進行動をする移動キューブから成る。例えば、ハンガリー人のルービックが１９７４年に発明した３段階キューブには２６個に上るキューブピースがあり、芯軸部品、球芯、伸出軸、パーティション、バネ、潤滑片、推進滑片などで構成されている。
【考案の概要】
【考案が解決しようとする課題】
【０００３】
キューブ全体の構造は複雑で、部品が多く、生産及び組立のいずれも困難である。また、３段階キューブが知的玩具であることは確かであるが、長い歴史の中でその遊び方も熟知のものとなり、そのため、新奇なキューブを製造することが業界内の解決すべき問題の１つとなっていた。
【０００４】
本考案の目的は、上述の欠陥を克服するためのものであり、新奇なキューブを提供することにある。
【課題を解決するための手段】
【０００５】
請求項１の考案は、
立方体となる基本的形状を取り得るように構成され、当該立方体の中心を通り互いに直交する３つの軸線を有し、前記立方体の状態で見た場合、前記軸線の上に位置し各面の中央に配置されたセンターピースと、隣接する３面によって画成されるコーナーに配置され当該３面に跨がって広がるコーナーピースと、隣接する２面によって画成されるエッジに配置され当該２面に跨がって広がるエッジピースとを備え、１個の前記センターピース、４個のコーナーピース及び４個のエッジピースによって当該各面が構成され、
前記軸線の軸線方向の両端の各々の位置に、前記センターピース、前記エッジピース及び前記コーナーピースが並んだ際に、当該センターピース、当該エッジピース及び当該コーナーピースが当該軸線を中心に回転可能となるとともに、当該軸線方向の当該両端に挟まれる中間に存在する前記センターピース及び前記エッジピースが当該軸線を中心に回転可能となるように構成されたキューブにおいて、
少なくとも１個の前記エッジピースは、第１の歯部を有するギア部品と、前記ギア部品を自転可能に支持する支持部品とを有し、
少なくとも１個の前記コーナーピースには、前記ギア部品の第１の歯部に噛合可能な第２の歯部が形成され、
前記第１の歯部と前記第２の歯部とが噛合した後、当該第１の歯部が形成された前記ギア部品を有する前記エッジピースと、当該第２の歯部を有する前記コーナーピースとが同一の前記軸線を中心に相対回転することによって、当該ギア部品が自転するように構成されていることを特徴とするキューブである。
【０００６】
請求項２の考案は、請求項１に記載のキューブにおいて、
複数個の前記エッジピースは、前記ギア部品と前記支持部品とを有し
前記支持部品には、当該支持部品が支持していない他の前記ギア部品の前記第１の歯部に噛合可能な第３の歯部が形成され、
前記第１の歯部と前記第３の歯部とが噛合した後、当該第１の歯部が形成された前記ギア部品を有する前記エッジピースと、当該第３の歯部が形成された前記支持部品を有する前記エッジピースとが同一の前記軸線を中心に相対回転することによって、当該ギア部品が自転するように構成されていることを特徴とする。
【０００７】
請求項３の考案は、請求項１に記載のキューブにおいて、
前記ギア部品と前記支持部品とを有しない前記エッジピースを少なくとも１個備え、当該エッジピースには、前記ギア部品の前記第１の歯部に噛合可能な第４の歯部が形成され、
前記第１の歯部と前記第４の歯部とが噛合した後、当該第１の歯部が形成された前記ギア部品を有する前記エッジピースと、当該第４の歯部が形成された前記エッジピースとが同一の前記軸線を中心に相対回転することによって、当該ギア部品が自転するように構成されていることを特徴とする。
【０００８】
請求項４の考案は、請求項１に記載のキューブにおいて、
全てのエッジピースは、前記ギア部品と前記支持部品とを有し、
全てのコーナーピースには、前記第２の歯部が形成されていることを特徴とする。
【０００９】
請求項５の考案は、請求項４に記載のキューブにおいて、
前記支持部品には、当該支持部品が支持していない他の前記ギア部品の前記第１の歯部に噛合可能な第５の歯部が形成され、
前記第１の歯部と前記第５の歯部とが噛合した後、当該第１の歯部が形成された前記ギア部品を有する前記エッジピースと、当該第５の歯部が形成された前記支持部品を有する前記エッジピースとが同一の前記軸線を中心に相対回転することによって、当該ギア部品が自転するように構成されていることを特徴とする。
【考案の効果】
【００１０】
本考案のキューブによれば、奇妙な構造が実現でき、多彩な遊び方を実現させ、市場の新製品に対する需要に応えることができる。
【図面の簡単な説明】
【００１１】
【図１】第１の実施形態のキューブのコアピース構造の斜視図である。
【図２】第１の実施形態のキューブのエッジピース構造の分解斜視図である。
【図３】第１の実施形態のキューブのエッジピースの斜視図である。
【図４】第１の実施形態のキューブのコーナーピースの分解斜視図である。
【図５】第１の実施形態のキューブのコアピースに１つのギアを設置後の斜視図である。
【図６】第１の実施形態のキューブのコアピースに２つのギアを設置後の斜視図である。
【図７】第１の実施形態のキューブの全体構造の１つの面を示す図である。
【図８】第２の実施形態のキューブの正面図である。
【図９】第２の実施形態のキューブの底面図である。
【図１０】第２の実施形態のキューブの左側面図である。
【図１１】第２の実施形態のキューブの右側面図である。
【図１２】第２の実施形態のキューブの正面図である。
【図１３】第２の実施形態のキューブの底面図である。
【図１４】第２の実施形態のキューブの斜視図である。
【考案を実施するための形態】
【００１２】
以下に付属図と照らし合わせて本考案の具体的実施形態の詳細を説明する。
第１の実施形態のキューブはキューブに関するものであり、これは、コアピース、センターピース、エッジピース（ギアピース）、そしてコーナーピースから構成されている。
【００１３】
図１に示すように、上記コアピースにはセンター支持架１００が含まれている。このセンター支持架１００は互いに直交する３本の軸線を有している。
すなわち、センター支持架１００は、その中心から放射状に延在する６本の連接軸１０１を有している。そして、６本の連接軸１０１は、２本ずつ組をなし、各組を構成する２本の連接軸１０１は中心から反対方向に延び同一軸線を有し、各組の軸線は互いに直交している。
この６本の連接軸１０１の各々の先には固定部品（固定キューブ）１が設けられている。この固定部品１は連接軸１０１の軸線を中心に回転（自転）可能となっている。
【００１４】
固定部品１には、その中心に凸型の底板２が設けられている。この固定部品１の底板２の周辺は内側に伸びる滑動片（滑動槽）となっている。この固定部品１及び底板２はセンターピースを構成している。
【００１５】
図２及び図３に示す上記エッジピースは１２個存在している。各エッジピースは支持部品（ギアキューブ）３と、この支持部品３に支持されるギア部品（ギア）４とから構成されている。
このギア部品４は、キューブが立方体となった状態で、隣接する２つの面に跨がって広がる形状を有している。
支持部品３はギア部品４を自転可能に支持している。この支持部品３には、回転可能空間３２があり、前記ギア部品４は空間３２にある立柱３１に取り付けられ、その周りを回転することができる。支持部品３下部の両側には帯状の滑動片３４があり、上部と下部から滑動片３４が延び、また同じ側にはパーティション３３もある。このパーティション３３は、他の支持部品３に支持されているギア部品４の歯部に噛合可能な歯部を構成している。
このパーティション３３及び滑動片３４間を接続するのは、それぞれと隣接する上記固定部品１である。前記の帯状の滑動片３４の幅は支持部品３の底面よりも狭く、また両側から支持部品３が出てくるのみである。支持部品３の底面縁は、回転時に、他の支持部品３或いは図４に示すコーナーピースの三角状支持部品５に合わせるためのものである。
【００１６】
図４に示すように、上記コーナーピースは８個あり、各コーナーピースは三角状支持部品（三角キューブ）５及びコーナー部品（コーナーキューブ）６から構成されている。コーナー部品６は、キューブが立方体となった状態で、隣接する３つの面に跨がって広がる形状を有している。この三角状支持部品５の下部には、内側に延びる三角状滑動片（三角滑動槽）５１があり、上部にはコーナー部品６に接続するプラットフォームがある。これは、収縮する（窪んだ）中部を介して、他の３つの隣接する支持部品３の底面縁と接合される。前記コーナー部品６の縁には、上記ギア部品４の歯部に噛合可能な歯部６１が形成されている。
【００１７】
図５と図６の具体的実施形態を参照した場合、１２個のエッジピースの支持部品３は、それぞれと隣接するコアピースの連接軸１０１の先にある固定部品１の滑動片（滑動槽）に連接される。
また、支持部品３には回転可能なギア部品４が設置されている。
そして、８個のコーナーピースの三角状支持部品５はこれと隣接する３個のエッジピースの支持部品３と接合される。また、三角状支持部品５の上はまたコーナー部品６と接続され、これより互いに連動して回転するキューブを実現させている。
【００１８】
図７に示すように、キューブは基本的形状として立方体となり得る。そして、立方体の表面には少なくとも２色（最適は６色）の着色或いは異なるイラストが印刷される。
【００１９】
次に、キューブの使用方法について説明する。
使用時はねじり動作を通じて、キューブのエッジピースが固定部品１の滑動片に沿って移動をし、回転する。その際、このエッジピースと連動して回転するコーナー部品６の歯部６１は、隣のギア部品４の歯部４１との接合の下、隣のギア部品４を回転させる。すると、他のギア部品４は、公転すると同時にエッジピースの空間３２の周りを自転することにより、その形状を変える。これは、キューブの設計理念を変えた、夢のようなものである。
【００２０】
続いて、第２の実施形態のキューブを説明する。
図８は第２の実施形態のキューブの正面図、図９は第２の実施形態のキューブの背面図、図１０は第２の実施形態のキューブの左側面図、図１１は第２の実施形態のキューブの右側面図、図１２は第２の実施形態のキューブの正面図、図１３は第２の実施形態のキューブの底面図、図１４は第２の実施形態のキューブの斜視図である。
このキューブが第１の実施形態のキューブと異なる点は次の通りである。
すなわち、上記第１の実施形態のキューブでは、  図２及び図３に示すように、１２個のエッジピースの各々は支持部品３及びギア部品４から構成され、ギア部品４には歯部が形成されている。
これに対して、第２の実施形態のキューブでは、立方体となった状態で見ると、３本の軸線のうちの１本の軸線の両端に挟まれる中間に位置するエッジピース７０は、ギア部品４を備えていない。そして、エッジピース７０自体に、ギア部品４の歯部に噛合可能な歯部７１が形成されている。このエッジピース７０は、第１の実施形態のキューブにおいて支持部材３及びギア部品４を合体させ一体化したものに相当する。
その他の点では、第２の実施形態のキューブは、第１の実施形態のキューブと同じ構造となっている。したがって、この第２の実施形態のキューブの詳細な説明は省略し、図面において、第１の実施形態のキューブと同じ部材については同一符号を付するものとする。
【００２１】
この第２の実施形態のキューブによれば、エッジピース７０はコーナーピースの歯部６１に噛合する歯部を有しないので、コーナーピースによって回転させられることはない。一方、このエッジピース７０の歯部７１は、ギア部品４の歯部とは噛合するので、噛合位置の変更によって、当該ギア部品４を回転させる働きをする。
【００２２】
以上、本考案の実施形態について説明したが、本考案は、かかる実施形態に限定されるものではなく、その要旨を逸脱しない範囲で種々の変更が可能であることはいうまでもない。
【００２３】
例えば、第１の実施形態及び第２の実施形態のキューブにおけるエッジピース（支持部品３又はエッジピース７０自体）には、ギア部品４の歯部と噛合可能な歯部が形成されているが、ギア部品４の歯部と噛合可能な歯部が形成されていなくてもよい。また、一部のエッジブロックだけに、ギア部品４の歯部と噛合可能な歯部が形成されていてもよい。
【００２４】
また、第１の実施形態及び第２の実施形態のキューブにおけるコーナーピースには、ギア部品４の歯部と噛合可能な歯部が形成されているが、一部のコーナーピースには、ギア部品４の歯部と噛合可能な歯部が形成されていないものが存在していてもよい。
【００２５】
また、第２の実施形態のキューブにおいては、立方体となった状態で見た場合、３本の軸線のうちの１本の軸線の両端に挟まれる中間に位置するエッジピースは、ギア部品４を有しないものとしたが、第１のギア部品４を有しないエッジピースの数や位置は、第２の実施形態のキューブと異なっていてもよい。要は、ギア部品４が少なくとも１個存在すればよい。
【符号の説明】
【００２６】
１      固定部品
３      支持部品
４      ギア部品
６      コーナー部品
７０    エッジピース
７１    歯部
【図１】
0003168583.tif 000003
【図２】
0003168583.tif 000004
【図３】
0003168583.tif 000005
【図４】
0003168583.tif 000006
【図５】
0003168583.tif 000007
【図６】
0003168583.tif 000008
【図７】
0003168583.tif 000009
【図８】
0003168583.tif 000010
【図９】
0003168583.tif 000011
【図１０】
0003168583.tif 000012
【図１１】
0003168583.tif 000013
【図１２】
0003168583.tif 000014
【図１３】
0003168583.tif 000015
【図１４】
0003168583.tif 000016